(57)【要約】【課題】モータの制御に適応して、符号化／復号化処理を実行することで、カメラの消費電力を抑える撮影装置の制御方法を提案する。【解決手段】撮影装置は、演算処理装置、モータ駆動回路および音声の符号化／復号化回路、記録手段を有し、前記演算処理装置は、該撮影装置が動画録画中または動画再生中であるかを判別し、動画再生時には、復号化処理の完了時に符号化／復号化回路から出力される割り込み信号を受けてから、パルス変調回路の出力を止めることでモータ駆動を停止させ、動画録画時には、演算処理部のA/D変換回路にてモータの駆動電圧を監視し、閾値以上の電圧降下が生じた場合には、符号化処理を一時停止させることで撮影装置の録画および再生時の消費電力を軽減させることを特徴とする。【選択図】図１
2016192615.tif 000002
【特許請求の範囲】
【請求項１】
動画録画および動画再生が可能な撮影装置において、
該撮影装置は、演算処理装置、モータ駆動回路および音声の符号化／復号化回路、記録手段を有し、
前記演算処理装置は、該撮影装置が動画録画中または動画再生中であるかを判別し、
動画再生時には、復号化処理の完了時に符号化／復号化回路から出力される割り込み信号を受けてから、パルス変調回路の出力を止めることでモータ駆動を停止させ、
動画録画時には、演算処理部のA/D変換回路にてモータの駆動電圧を監視し、
閾値以上の電圧降下が生じた場合には、符号化処理を一時停止させることで撮影装置の録画および再生時の消費電力を軽減させることを特徴とする撮影装置制御手法。
【発明の詳細な説明】
【技術分野】
【０００１】
本発明は、撮影装置の制御方法に関する。
【背景技術】
【０００２】
近年、撮影装置の高機能化が進んでいる。高機能化の一環として動画/静止画の両方を撮影可能なカメラが多数みられる。これらのカメラは、動画撮影において、動画を取得すると同時に音声も取得し、動画と同期させて記録を行う。
【０００３】
動画ファイルはMPEG4などの記録フォーマットで圧縮した後に、インターネット上にアップロードして閲覧することも可能である。これら動画ファイルの容量を小さくするために、音声信号に符号化を行い、データの圧縮を行う符号化方式が多数提案されている。
【０００４】
音声信号を圧縮する符号化方式は、オーディオコーデックと呼ばれ、AAC-LC, HE-AACなどの方式がある。これらオーディオコーデックの中には、揮発性ＲＡＭを内蔵し、起動時に動作用ファームを書き込むことで符号化／復号化処理を行うことを特徴とするものがある。
【０００５】
プログラムの書換えにより、符号化方式を変えられる特徴を持ち、カメラなどでも多く使用されている。
【０００６】
これらのコーデックでは、復号化データの書き込み、または、符号化データの読み出し時に過渡的に大きな消費電流が流れる。
【０００７】
符号化、復号化処理と鏡筒動作のタイミングが重なった場合は、急激にカメラの消費電流が増えるため、予期せぬシャットダウンを生じさせる一因となる。
【０００８】
この為、特許文献1のように、モータの電流波形を監視し、録音処理中、モータＯＦＦ時に音声を記録し、ＯＮ時に記録中の音声データから予め記録していたデータを減算することで、ノイズ除去処理を減らし、大きな消費電流が流れにくくなる処理を行なう電子カメラなどが提案されている。
【先行技術文献】
【特許文献】
【０００９】
【特許文献１】特開2012-133855号公報
【発明の概要】
【発明が解決しようとする課題】
【００１０】
しかしながら、特許文献1では、一連の録音作業後にモータON時とOFF時の音声データのマージ処理が発生するため、カメラの録画動作が格段に長くなってしまう。
【００１１】
録画処理にできる限り影響を与えずに、消費電流を抑えることが望ましい。
【００１２】
本発明は、該の課題にかんがみてなされたものであり、モータの制御に適応して、符号化／復号化処理を実行することで、カメラの消費電力を抑える撮影装置の制御方法を提案する。
【課題を解決するための手段】
【００１３】
本発明は、動画録画および動画再生が可能な撮影装置において、
該撮影装置は、演算処理装置、モータ駆動回路および音声の符号化／復号化回路、記録手段を有し、
前記演算処理装置は、該撮影装置が動画録画中または動画再生中であるかを判別し、
動画再生時には、復号化処理の完了時に符号化／復号化回路から出力される割り込み信号を受けてから、パルス変調回路の出力を止めることでモータ駆動を停止させ、
動画録画時には、演算処理部のA/D変換回路にてモータの駆動電圧を監視し、
閾値以上の電圧降下が生じた場合には、符号化処理を一時停止させることで撮影装置の録画および再生時の消費電力を軽減させることを特徴とする。
【発明の効果】
【００１４】
本発明によれば、モータの制御に適応して、符号化／復号化処理を実行することで、撮像装置全体の消費電流をおさえ、撮影枚数／録画時間の減少のない撮像装置を提供することが可能となる。
【図面の簡単な説明】
【００１５】
【図１】実施例における音声処理およびモータ駆動処理に関わるシステム構成を示すブロック図
【図２】実施例におけるデジタルカメラのシステム構成を示すブロック図
【図３】実施例における再生時の復号化処理とモータ駆動制御のタイミングチャート
【図４】実施例における録画時の符号化処理とモータ駆動制御のタイミングチャート
【図５】実施例における再生時の符号化処理とモータ駆動制御のフローチャート
【図６】実施例における録画時の符号化処理とモータ駆動制御のフローチャート
【発明を実施するための形態】
【００１６】
以下、添付の図面を参照して、本発明の好適な実施形態を説明する。
【００１７】
図２はデジタルカメラ220のシステム構成を示すブロック図である。
【００１８】
マイク221は、音声データ取得手段である。音声処理回路222は、マイク221で得られた音声データを演算処理部226で取得するためにA/D変換を、演算処理部226で生成された音声データをスピーカ223で出力するためにD/A変換を行う。224は撮像素子を備える撮像部である、各レンズ郡を通ってきた被写体像を電気信号に変換する。A/D変換器225は撮像素子224のアナログ信号出力をデジタル信号に変換する。
【００１９】
タイミング発生回路236は、不図示のメモリ制御回路および演算処理部226により制御され、A/D変換器225にクロック信号や制御信号を供給する。画像処理部227は、A/D変換器225からのデータ或いは不図示のメモリ制御回路からのデータに対して所定の画素補間処理や色変換処理を行う。また、画像処理部227においては、撮像した画像データを用いて所定の演算処理を行い、得られた演算結果に基づいてTTL方式のAWB（オートホワイトバランス）処理も行っている。
【００２０】
A/D変換器225のデータが画像処理部227、不図示のメモリ制御回路を介して、或いはA/D変換器225のデータが直接メモリ制御回路を介して、SDRAM234に書き込まれる。通信制御部228は、接続されるカメラ等の機器との通信を制御する。デジタルカメラは、不図示の外部出力コネクタを備えており、撮影した画像の出力を外部モニタに出力する。外部出力コネクタにコネクタが挿されている場合は不図示の外部出力接続検知手段により演算処理部226は外部出力状態を知る事が出来る。例えば、ＨＤＭI（登録商標）コネクタ等が用いられる。
【００２１】
229は操作部であり、ユーザによる指示入力が行われる。LCD231およびLCDドライバ230は、画像表示部であり、SDRAM234に書き込まれた表示用の画像データLCDドライバ230を介してLCD231に表示される。画像表示部を用いて撮像した画像データを逐次表示すれば、ライブビュー機能を実現することが可能である。また、画像表示部は、演算処理部226の指示により任意に表示をON/OFFすることが可能であり、表示をOFFにした場合にはデジタルカメラ220の電力消費を大幅に低減することが出来る。
【００２２】
SDRAM234は、撮影した静止画像や動画像を格納するためのメモリであり、所定枚数の静止画像や所定時間の動画像を格納するのに十分な記憶量を備えている。また、SDRAM232は演算処理部226の作業領域としても使用することが可能である。SDRAM234は、記録媒体の書き込みバッファとしても使われる。
【００２３】
カードコネクタ233は、記録媒体とのインターフェースである。インターフェースとしては、ＳＤカードやコンパクトフラッシュ（登録商標）カード等の規格に準拠したものを用いて構成して構わない。記録媒体232はメモリカード等の記録媒体である。また、この記録媒体232の代わりに各種通信カードを接続することにより、他機器との間で画像データや画像データに付属した管理情報を転送し合うことが出来る。
【００２４】
ＦＬＡＳＨＲＯＭ235は画像形成装置のシステム制御用プログラムを格納している。音声符号化/復号化回路237は、音声処理回路にて出力された音声データの圧縮／解凍処理を行う。音声処理回路から出力された音声データを符号化、データ量を圧縮して記録媒体232などに記録を行う。また、記録媒体232などに記録された音声データを復号化、解凍して音声処理回路などへ出力する。
【００２５】
演算処理部226は、デジタルカメラ全体を制御する回路である。モータ駆動部238は、鏡筒およびレンズユニットを制御するモータの駆動回路である。演算処理部226により制御され、不図示のズームレンズ、フォーカスユニット、絞り／シャッターユニットなどの制御を行なう。演算処理部226は、ＦＬＡＳＨＲＯＭ235に記録されたプログラムを実行することで、後述する各実施例の処理を実現する。
【００２６】
SDRAM234は、演算処理部26の動作用の定数、変数、ＦＬＡＳＨＲＯＭ235から読み出したプログラム等を展開するメモリである。ＦＬＡＳＨＲＯＭ235は電気的に消去／記録可能なメモリである。ＦＬＡＳＨＲＯＭ235には、演算処理部226の動作用の定数、プログラム等が記憶される。
【００２７】
［実施例］
以下、図1、２を用いて、本実施例に関わるシステム構成を詳細に説明する。
【００２８】
図1は図2中演算処理部226、SDRAM234、音声符号化/復号化回路237、モータ駆動部238の回路構成を詳細に示したブロック図である。
【００２９】
101は演算処理部であり、図2内の演算処理部226を示す。演算処理部101は、CPUユニット102を内包している。CPUユニット102は、パルス幅変調回路120、A/D変換回路119、パルス幅変調回路108、パルス周期計測回路118に接続されており、各々の制御を行う。105は、符号化／復号化回路であり、図2内の音声符号化／複合化回路237を示し、記憶手段である揮発性ＲＡＭ106を内包する。
【００３０】
揮発性ＲＡＭ106には、符号化／復号化処理用のプログラムがシリアルデータバス104を経由してダウンロードされる。ダウンロードされたプログラムは、符号化／復号化回路の電源を落とさない限り、保持される。本実施例のデジタルカメラでは、本体の電源ONの度にプログラムのダウンロードが行われる。
【００３１】
104は、2または3本の信号線から成るシリアルデータバスであり、演算処理部101から符号化／復号化回路105へ符号化データを送信／受信する際に用いられる。107は符号化／復号化回路の処理中断信号、108は符号化／復号化回路から出力される割り込み信号であり、符号化／復号化処理の最終フレームを処理する直前に出力される。109はモータ駆動部であり、図2内のモータ駆動部238を示す。
【００３２】
２つの電源系を用い、電源122は主に不図示のレジスタ、コンパレータ117などのモータ駆動部のデジタル回路部分に、電源121はHブリッジ110, 112などのアナログ回路部分にそれぞれ用いられる。Hブリッジ回路は、一つの駆動電圧を用いて、モータの正回転／逆回転に加えてブレーキ機能を実現する回路である。モータの駆動は、これらHブリッジ回路110、112にパルス幅変調回路120、108からパルス信号を入力することで行う。短い周期のパルスを印加することでモータの駆動速度を速く、長い周期のパルスを印加することで遅くすることができる。
【００３３】
111は、FOCUS制御用のステッピングモータであり、レンズの焦点制御に用いられる。113は、鏡筒制御用のDCモータであり、ズームレンズの繰り出し、沈動制御に用いられる。111、113ともに電源121により電源を供給される構成をとる。コンパクトデジタルカメラでは、回路規模の縮小の為、このように複数のモータを単一の電源で制御することが多い。また、電源121は、モータにかかった負荷を把握するために、A/D変換回路119に入力され、電圧変動のレベルを監視される。
【００３４】
114、115、116は、フォトインタラプタであり、モータと共に、鏡筒に取り付けられている。フォトインタラプタとは、対向する受発光部を持ち、発光部からの光が遮られるのを受光部で検出することによって、物体の位置を判定するセンサである。
【００３５】
本実施例では、モーター113の軸に穴付きのスリット板を取り付け、フォトインタラプタで光の通る時間間隔を調べる。このフォトインタラプタの出力をモータ駆動部内のコンパレータ117で、1または0の論理信号へ変換し、パルス周期計測回路118に印加する。
これにより、モータの回転速度を検出することが可能となり、演算処理部はモータの速度制御をすることが可能となる。
【００３６】
図１、図2、図3、図5を用いて、実施例における再生時の復号化処理とモータ駆動制御について説明する。
【００３７】
まず、図2を用いてデジタルカメラの再生開始処理〜完了までの一連の手順を説明する。
【００３８】
デジタルカメラ220は、ユーザが不図示の再生ボタンを押すことで、動画の再生開始を行う。演算処理部226は、SDカード232から符号化された圧縮データを読出し、符号化／復号化回路237に入力、符号化／復号化回路237が音声データへ復号処理を行なう。
復号化された音声データは、音声処理回路222に供給、アナログ変換されスピーカ223に出力される。操作者は、前述の再生ボタンをもう一度押すことで、動画の再生処理が完了する。
【００３９】
図3は実施例における動画再生処理時の、図１内の符号化／復号化回路105、演算処理部101、モータ駆動部109の出力信号の時間的相関を示したタイミングチャートである。再生処理中は、図3（i）に示すように、図１内の符号化／復号化回路105にてフレーム単位で復号化処理を行う。その際、(ii）に示すようにフレームの最後で処理の完了を示す割り込み信号が符号化／復号化回路105から演算処理部101へアサートされる。
【００４０】
図１中演算処理部101のCPU102は、本割り込み信号を受け、パルス変調回路120、118に対してパルス出力の停止制御を行い、パルスの出力が停止しモータの駆動が中断する（図3（iii）(iV））。
【００４１】
図５は実施例における動画再生処理時の、図１内の演算処理部101内のCPU102の制御フローを示したフローチャートである。不図示の再生ボタンを押し、動画の再生が開始されると（S201）、CPU102は、まずデジタルカメラがPLAY中（再生処理中）であるかを再確認する（S202）。その後、図１内の符号化／復号化回路105から出力される復号化終了の割り込み信号が立ち下がるのを待つ（S203）。立下りが検出されない場合は、パルス変調回路120、118に対して信号出力の停止要求を行い、モータ駆動を停止させる（S205）。
【００４２】
立下りが検出された場合には、パルス変調回路120、118に対して信号出力の開始要求を行い、モータ駆動を再開させる（S204）。S202〜S205の処理は、動画の再生処理が完了する（S206）まで繰り返し行なわれる。
【００４３】
図１、図2、図４、図６を用いて、実施例における録画時の符号化処理とモータ駆動制御について説明する。まず、図2を用いてデジタルカメラの録画開始処理〜完了までの一連の手順を説明する。デジタルカメラ220にて被写体音を記録する場合、操作者は不図示のシャッタースイッチを用いて動画の撮影開始を行う。音声の録音処理もこれに同期して行われる。
【００４４】
マイク221から得られた信号は、音声処理回路222に供給され、デジタル変換される。デジタル変換された信号は、不図示のデジタル音声転送バスを通り、符号化／復号化回路237に入力され、音声データの圧縮が行われる。
【００４５】
次に、符号化／復号化回路237により符号化された圧縮データは、演算処理部226へ出力され、演算処理部226がSDカード232に書き込みを行う。操作者は、前述のシャッタースイッチをもう一度押すことで、動画の撮影処理が完了する。
【００４６】
図４は実施例における動画再生処理時の、図１内の演算処理部101、符号化／復号化回路105、A/D変換回路119の出力信号の時間的相関を示したタイミングチャートである。
【００４７】
図４（i）はモータの駆動電圧の時間的変化であり、図１中電源121に印加する電圧の波形である。図４（i）に示すように、録画処理中、ユーザが不図示のスイッチにより、鏡筒のズーム動作を開始した場合、モータに特に負荷のかかるシーケンス中は、図４(i)−１のように閾値電圧を下回る電圧降下が発生しする。
【００４８】
図１中のA/D変換回路119はこの電圧変化をデジタル化し、閾値を下回った箇所で割り込み信号を発生させる（図４(ii））。図１中演算処理部101内のCPU102が割り込み信号を監視し、符号化／復号化回路105への符号化中断信号へ変換する（図４(iii)）。符号化中断信号がアサートされると、符号化／復号化回路105は、符号化処理を直ちに停止し、デアサートされると処理を再開する。
【００４９】
図６は実施例における動画録画処理時の、図１内の演算処理部101内のCPU102の制御フローを示したフローチャートである。
【００５０】
不図示のスイッチを押し、動画の録画が開始されると（S301）、CPU102は、まずデジタルカメラがREC中（録画処理中）であるかを再確認する（S302）。その後、図１内のA/D変換回路119にて変換した電圧値が閾値以下であるかを判別する（S303）。閾値以上の場合は、符号化中断信号ENC_STOPをネゲートし（S304）、符号化処理を再開させる。閾値以下の場合は、符号化中断信号ENC_STOPをアサートし（S305）、符号化処理を停止させる。
【００５１】
S302〜S305の処理は、動画の撮影処理が完了する（S306）まで繰り返し行なわれる。
【００５２】
以上、本実施例により、モータの制御に適応しつつ符号化／復号化処理を実行することで、消費電力を抑えた撮影装置を提供することが可能となる。
【符号の説明】
【００５３】
221  マイク、222  音声処理回路、223  スピーカ、226  演算処理部
【図２】
2016192615.tif 000003
【図１】
2016192615.tif 000004
【図３】
2016192615.tif 000005
【図４】
2016192615.tif 000006
【図５】
2016192615.tif 000007
【図６】
2016192615.tif 000008